(57)【要約】【課題】掃除機本体及びこれに着脱される棒状体を有した着脱部材の格納場所への出し入れを容易にできる電気掃除機を提供することにある。【解決手段】電動送風機が内蔵された掃除機本体３に、この本体３のパイプ受け部（部材受け部）１７に挿脱される取付け端部２１ａを有するパイプ（棒状体）２１を備えたハンドル（着脱部材）４を着脱自在に接続してなる電気掃除機１を前提とする。取付け端部２１ａが着脱自在に保持される第１の保持手段５を掃除機本体３の側面に設ける。掃除機本体３の側面にパイプ２１の軸方向中間部が着脱自在に保持される第２の保持手段６を設ける。これにより、掃除機本体３から取外されたハンドル４のパイプ２１を、両保持手段５、６により掃除機本体３の側面に着脱自在に保持した状態で、掃除機本体３を格納場所に出し入れできるようにしたことを特徴としている。【選択図】      図２
2005066035.tif 000002
【特許請求の範囲】
【請求項１】
電動送風機が内蔵されるとともに部材受け部を有した掃除機本体と、
前記部材受け部に挿脱される取付け端部を有して前記掃除機本体に着脱自在に接続される棒状体を備えた着脱部材と、
前記掃除機本体に設けられ前記取付け端部が着脱自在に保持される第１の保持手段と、
この第１の保持手段から離れて前記掃除機本体に設けられ前記棒状体の軸方向中間部が着脱自在に保持される第２の保持手段と、
を具備して、前記掃除機本体から取外された前記着脱部材の棒状体が、前記第１、第２の保持手段により前記掃除機本体に着脱自在に保持されるようにした電気掃除機。
【請求項２】
請求項１に記載の電気掃除機において、
前記第１の保持手段は前記棒状体の軸方向移動を伴って前記取付け端部が挿脱自在に嵌合される嵌合部を有し、
前記第２の保持手段は前記掃除機本体に接離する方向から前記棒状体の軸方向中間部を着脱自在に保持するものであって、
前記棒状体はその取付け端部から外れた中間部外周に係止部を有し、
この係止部が前記第１の保持手段側から接離可能で、
その当接により前記第１、第２の保持手段で前記掃除機本体に保持されている前記棒状体が、前記嵌合部から抜け出すに足りる軸方向移動を拘束する棒状体ストッパを、前記第２の保持手段が有している。
【請求項３】
請求項１又は２に記載の電気掃除機において、
前記第１の保持手段が、前記第２の保持手段に接離する方向に移動自在で前記取付け端部を受ける可動支持部材と、この可動支持部材を前記第２の保持手段に向けて付勢する付勢部材とを有し、
前記第２の保持手段が、前記掃除機本体に保持された前記棒状体の中間部に係脱自在で、その係合により前記棒状体が前記掃除機本体から離れる方向に動かないように拘束する棒状体支えを有している。
【請求項４】
請求項１に記載の電気掃除機において、
前記第１の保持手段は、前記棒状体の軸方向移動を伴って前記取付け端部が挿脱自在に嵌合される嵌合部と、前記第２の保持手段に接離する方向に移動自在で前記取付け端部を受ける可動支持部材と、この可動支持部材を前記第２の保持手段に向けて付勢する付勢部材とを有し、
前記第２の保持手段が前記掃除機本体に接離する方向から前記棒状体の軸方向中間部を着脱自在に保持するものであって、
前記棒状体はその取付け端部から外れた中間部外周に係止部を有し、
この係止部は、
前記第１の保持手段側から接離可能で、その当接により前記第１、第２の保持手段で前記掃除機本体に保持されている前記棒状体が、前記嵌合部から抜け出すに足りる軸方向移動を拘束する棒状体ストッパと、
前記棒状体が前記掃除機本体から離れる方向に動かないように拘束する棒状体支えとを有している。
【発明の詳細な説明】
【技術分野】
【０００１】
本発明は、例えば掃除機本体を移動操作するためのハンドルがパイプ等の棒状体を有している電気掃除機等に関する。
【背景技術】
【０００２】
従来、掃除機本体に筒状部を有した受け部を設け、床等を掃除する場合に、ハンドルが有しているパイプの一端側を受け部の筒状部に挿入させることにより、パイプを掃除機本体に取付けるとともに、収納時に場所を取らないようにする等のために、不使用時に、パイプを掃除機本体から取外せるようにした電気掃除機が知られている（例えば特許文献１参照。）。
【０００３】
同様に、掃除機本体に設けたパイプ収納部に、ハンドルが有するパイプを押込んで収納した状態では、ハンドルが掃除機本体から突出することによる梱包効率の低下を改善するために、ハンドルを掃除機本体に着脱自在に設けた電気掃除機が知られている（例えば特許文献２参照。）。
【特許文献１】特開２０００−１５７４６８号公報（段落００１１、００１２、００１４、００１９、図１−図２）
【特許文献２】特許第２９６３８３１号公報（段落０００９−００２１、００２６、図１−図５）
【発明の開示】
【発明が解決しようとする課題】
【０００４】
特許文献１、２では、不使用時等に掃除機本体から取外されたハンドルのパイプがどのように取扱われるかということについては言及がないとともに、取外されたハンドルのパイプを掃除機本体に保持するための構成は設けられていない。このため、特許文献１、２の電気掃除機では、その不使用時に、掃除機本体と、これから取外されたハンドルのパイプとがばらばらの状態で格納される。これにより、格納場所例えばベッドの下方空間に電気掃除機を格納する場合等に、掃除機本体とこれから取外されたハンドルのパイプとを個別に出し入れする手間が必要となり、不便である。
【０００５】
本発明が解決しようとする課題は、掃除機本体及び棒状体を有して掃除機本体に着脱される着脱部材の格納場所への出し入れを容易にできる電気掃除機を提供することにある。
【課題を解決するための手段】
【０００６】
本発明は、電動送風機が内蔵された掃除機本体に、この本体の棒状体受け部に挿脱される取付け端部を有する棒状体を備えた着脱部材を着脱自在に接続してなる電気掃除機において、掃除機本体に、取付け端部が着脱自在に保持される第１の保持手段と、棒状体の軸方向中間部が着脱自在に保持される第２の保持手段とを夫々設けて、掃除機本体から取外された着脱部材の棒状体を、両保持手段により掃除機本体に着脱自在に保持できるようにしたことを特徴としている。
【０００７】
この発明では、掃除機本体から取外された着脱部材の棒状体を両保持手段に着脱自在に保持させることによって、着脱部材を掃除機本体に保持させることができるので、掃除機本体とこれから取外された着脱部材の棒状体とを一体的に取扱って格納場所に出し入れすることができる。
【０００８】
本発明において、着脱部材とは、この部材が備える棒状体の取付け端部を、掃除機本体の棒状体受け部に対して挿脱することで掃除機本体に着脱される部材を指しており、例えば、掃除機本体を移動させるためのハンドルとして機能する部材、又は取付け端部と反対側の端部に吸込み口体が連結され吸込み部材として機能する部材などを挙げることができる。
【発明の効果】
【０００９】
本発明によれば、掃除機本体とこれに着脱される棒状体を有した着脱部材とを一体的に取扱えるので、これらの格納場所への出し入れが容易な電気掃除機を提供できる。
【発明を実施するための最良の形態】
【００１０】
図１及び図２を参照して第１実施形態に係るアップライト型の電気掃除機を説明する。
【００１１】
この電気掃除機１は、吸込み口体２が接続された掃除機本体３と、この掃除機本体３に着脱自在に接続される着脱部材として機能する把持部材例えばハンドル４と、第１の保持手段５と、第２の保持手段６とを備えている。
【００１２】
掃除機本体３は、本体前部３ａと、この前部３ａの後方に突出した本体後部３ｂと、本体把手３ｃとを有している。本体前部３ａは略円筒形状をなしている。本体後部３ｂは、本体前部３ａより幅が狭く、かつ、本体前部３ａより長く形成されている。電気掃除機１の使用時に上向きとなる本体前部３ａ及び本体後部３ｂの夫々の一端は面一状態に連続され、電気掃除機１の使用時に下向きとなる本体後部３ｂの他端は、本体前部３ａの他端に対し電気掃除機１の使用姿勢において下方に突出されている。本体把手３ｃは電気掃除機１の使用時に上向きとなる本体前部３ａ及び本体後部３ｂの夫々の一端にわたって形成されており、この本体把手３ｃを握持して掃除機本体３等を持ち運ぶことができる。
【００１３】
本体前部３ａ内は仕切り壁１１によって２室に分けられている。電気掃除機１の使用時に仕切り壁１１の下側に配置される第１の室には電動送風機１２が内蔵されている。掃除機本体３には電動送風機１２からの排気を外部に放出するための図示しない排気部が設けられている。電気掃除機１の使用時に仕切り壁１１の上側に配置される第２の室には、電動送風機１２に電力を供給するためのコードリール１５が内蔵されているとともに、電動送風機１２への電力供給をオン−オフするためのスイッチ装置１６が内蔵されている。
【００１４】
電気掃除機１の使用時に下向きとなる本体前部３ａの他端面には、集塵部として例えば集塵カップ１３が着脱自在に取付けられている。本体前部３ａに取付けられた集塵カップ１３内は、電動送風機１２の吸気口（図示しない）に連通している。集塵カップ１３は、その上部側面に入口１３ａを有し、この入口１３ａから流入した含塵空気をその勢いで旋回させ遠心分離作用によって塵と空気に分離して、分離された塵を溜めるようになっている。図１中符号１４は集塵カップ１３内から電動送風機１２に吸込まれる空気中に含まれる細塵をろ過するフィルターを示している。なお、集塵カップ１３に代えて、電気掃除機１の吸込み側に位置する集塵室を本体前部３ａに設け、この集塵室に集塵袋等のフィルターを出し入れ自在に設けてもよい。
【００１５】
吸込み口体２は本体後部３ｂの先端に図示しない回動機構を介して接続されている。これにより、吸込み口体２を被掃除面に接触させた状態で、この吸込み口体２を支点に掃除機本体３は前後方向に沿って回動できる。吸込み口体２内の図示しない吸塵風路と、本体後部３ｂ内の図示しない吸塵風路とは互いに連通されている。本体後部３ｂ内の吸塵風路の出口には、掃除機本体３に取付けられた集塵カップ１３の入口１３ａが押付けられている。これにより、吸込み口体２から吸込まれる含塵空気が前記吸塵風路を通して集塵カップ１３内に導入されるようになっている。
【００１６】
掃除機本体３は、着脱部材接続部、具体的にはハンドル接続部として機能する部材受け部、例えばパイプ受け部１７を有している。このパイプ受け部１７は両端が開口された円筒状をなしている。パイプ受け部１７は、その一端開口を例えば本体把手３ｃの端面に開放させるとともに、他端開口をスイッチ装置１６に対向させて設けられている。パイプ受け部１７はその軸方向中間部にロック孔（図示しない）を有している。なお、図１及び図２中符号１８はロック解除釦を示している。このロック解除釦１８は、掃除機本体３に対する前記ハンドル４の固定を解除する時に押込まれて、前記ロック孔に挿入されたハンドル４のロック凸部（図示しない）を押戻して、ロック孔から外すようになっている。
【００１７】
ハンドル４は、掃除機本体３を移動操作するために用いられる部材であって、棒状体例えば金属製のパイプ２１と、このパイプ２１の一端部が埋め込まれた合成樹脂製の握り部２２とを備えている。パイプ２１は断面円形で真直ぐな棒状をなしている。パイプ２１の他端部は取付け端部２１ａとして用いられ、この取付け端部２１ａをパイプ受け部１７に挿脱することによって、ハンドル４が掃除機本体３に着脱される。取付け端部２１ａにはその半径方向に沿って出没自在に前記図示しないロック凸部が設けられている。なお、図１及び図２中符号２３は握り部２２に設けたスライドスイッチ摘みを示している。ハンドル４をパイプ受け部１７に挿入して掃除機本体３の所定位置にハンドル４が接続された状態で、スライドスイッチ摘み２３がスライドされることによって、この摘み２３に連動する図示しないロッドを介して前記スイッチ装置１６がオン−オフされるようになっている。
【００１８】
パイプ２１はその取付け端部２１ａから外れた中間部外周に係止部２４を有している。この係止部２４は、例えば合成樹脂によりリング状に成形されてパイプ２１の外周に固定されている。
【００１９】
第１、第２の保持手段５、６は、掃除機本体３の側面、好ましくは本体後部３ｂの外面に、掃除機本体３の長手方向に互いに離間して夫々設けられている。
【００２０】
第１の保持手段５は、本体後部３ｂの一端部、具体的には吸込み口体２が接続された端部に配設されている。この保持手段５は、電気掃除機１の使用時に上向きに開口する短い有底筒状の嵌合部３１を有している。嵌合部３１はパイプ２１の取付け端部２１ａが遊嵌されるように取付け端部２１ａの外径より大径である。取付け端部２１ａはパイプ２１の軸方向移動を伴って嵌合部３１に挿脱される。この嵌合部３１に嵌合された取付け端部２１ａは、嵌合部３１の底方向及び周方向への動きを拘束されるようになっている。なお、嵌合部３１は取付け端部２１ａの内側に嵌合する凸部であってもよい。
【００２１】
第２の保持手段６は本体後部３ｂの本体把手３ｃに寄せて配設されている。この保持手段６は、金属の板ばねを折り曲げて形成されたものであって、図２に示すように一対の出入り端部４１と、一対の保持部４２と、取付け部４３とを有していて、棒状体ストッパとして機能するパイプストッパを兼ねている。パイプストッパは第２の保持手段６に保持されたパイプ２１の軸方向の移動を拘束するもので、この兼用により、パイプストッパとして独立に機能する構成を要しないので、掃除機本体３等の構成が簡単で複雑化しない点で優れている。
【００２２】
一対の出入り端部４１は、パイプ２１の外径よりかなり狭い間隙４４を設けて相対向しているとともに互いに逆向きの円弧状をなしている。一対の保持部４２は、一対の出入り端部４１に個別に連続し、かつ、これら出入り端部４１とは逆向きとなる円弧状をなしている。これら保持部４２は、相互間にパイプ２１の中間部を弾性的に挟持できるように、パイプ２１の外径より小さい空隙を設けて相対向している。取付け部４３は一対の保持部４２を一体に接続している。この取付け部４３が本体後部３ｂに例えばねじ止めされることによって、第２の保持手段６が掃除機本体３の側面に固定されている。
【００２３】
以上の構成を備えた電気掃除機１は、図１中２点鎖線で示すように、吸込み口体２が連結されている掃除機本体３の上方にハンドル４を突出させてこのハンドル４を掃除機本体３に接続した状態で、このハンドル４を介して、掃除機本体３を移動させながら使用される。この使用時には握り部２２でのスイッチ操作により電動送風機１２を運転できるに伴い、サイクロン式の塵分離と集塵をしながら被掃除面を掃除できる。
【００２４】
使用後に電気掃除機１を格納する場合には、ハンドル４のパイプ２１を掃除機本体３のパイプ受け部１７から引抜いた後に、このハンドル４を図１中実線で示すように掃除機本体３の側面に沿わせて保持させることにより、コンパクトな状態として、例えばベッドの下方空間等の格納場所に格納できる。このように掃除機本体３の所定接続位置から取外されたハンドル４を、前記所定接続位置とは別に定めた掃除機本体３の側面に保持させて、これら掃除機本体３とハンドル４とを一体的に取扱うことができるので、取扱いが容易であり、１度に電気掃除機１を格納場所に格納できる。
【００２５】
ハンドル４を掃除機本体３の側面に保持する手順は以下の通りである。まず、ハンドル４を掃除機本体３に対して斜めの姿勢にした上で、このハンドル４が有するパイプ２１の取付け端部２１ａを、第１の保持手段５の嵌合部３１に押込むように嵌合させる。次に、嵌合部３１を支点にハンドル４全体を本体後部３ｂの側面に沿うように移動させることにより、本体後部３ｂの側面に接近するパイプ２１の中間部、具体的には係止部２４のすぐ真上部分を第２の保持手段６に保持させる。この場合、パイプ２１の係止部２４のすぐ真上部分が、第２の保持手段６の両出入り端部４１を押し開きながら間隙４４を通過して一対の保持部４２間に挿入されると同時に、これら保持部４２で弾性的に挟まれる。
【００２６】
こうして保持されたパイプ２１の係止部２４は、図１に示すように第２の保持手段６のすぐ真下に近接して配置される。このため、係止部２４が第２の保持手段６に当たることによって、パイプ２１が嵌合部３１から抜け出すに足りるパイプ２１の軸方向移動が妨げられる。この保持状態での係止部２４と第２の保持手段６との間の近接距離Ａは、嵌合部３１に対する取付け端部２１ａの嵌合深さＢより短い。このため、パイプ２１を有したハンドル４は、その軸方向に沿ってパイプストッパを兼ねる第２の保持手段６に向けて前記近接距離Ａの範囲で図１中矢印Ｃ方向に移動可能である。しかし、最大に移動した場合にも取付け端部２１ａが嵌合部３１より抜け出ることはない。
【００２７】
それにも拘らず、嵌合部３１と取付け端部２１ａとの嵌め合いの遊びと前記近接距離Ａとによって、保持状態のパイプ２１を本体後部３ｂの側面から離れる方向に引き動かす場合には、係止部２４が、第２の保持手段６に引っ掛からないように、或いは第２の保持手段６への軽微な接触を伴って、第１の保持手段５の嵌合部３１を支点にパイプ２１を動かすことができる。それにより、第２の保持手段６からパイプ２１を外せるため、次に、パイプ２１を斜めに引き動かすことによって、第１の保持手段５の嵌合部３１から取付け端部２１ａを引抜くことができる。
【００２８】
ベッドの下方空間に格納された電気掃除機１を、例えばハンドル４の握り部２２を掴んで前記下方空間から引出そうとした場合、ハンドル４にはこれを軸方向に沿って図１中矢印Ｃ方向に動かす力が作用する。しかし、ハンドル４が矢印Ｃ方向に多少動いた段階で、パイプ２１の係止部２４が第２の保持手段６に当接するので、それ以上、ハンドル４が掃除機本体３に対して矢印Ｃ方向に単独に引き動かされ、ハンドル４のパイプ２１が第２の保持手段６を通り抜けることがない。このように握り部２２を掴んで格納場所から引出し操作を行った場合にも、掃除機本体３とハンドル４とを一体的に取扱うことができるので、掃除機本体３がベッドの下方空間に残されることなく、格納場所から電気掃除機１を引出すことができる。
【００２９】
引出された電気掃除機１の掃除機本体３からハンドル４を分離する手順は以下の通りである。まず、ハンドル４を軸方向に押すようにして第１の保持手段５の嵌合部３１に対するパイプ２１の取付け端部２１ａの嵌合深さを最大にする。つぎに、この状態のままで、嵌合部３１を支点にパイプ２１を本体後部３ｂから離れる方向に引いて、第２の保持手段６からパイプ２１を引き外す。この後に、パイプ２１を軸方向に動かして取付け端部２１ａを嵌合部３１から抜く。
【００３０】
図３〜図５を参照して第２実施形態に係るアップライト型の電気掃除機を説明する。この第２実施形態は基本的には第１実施形態と同じであるので、機能が同一の構成には第１実施形態と同じ符号を付してその説明を省略し、第１実施形態とは異なる構成を以下説明する。
【００３１】
図４及び図５に示すようにパイプ２１の係止部２４は、パイプ２１に固定される環状の取付け部２４ａと、これからパイプ２１の半径方向に一体に突出された平面視コの字状をなす凸部２４ｂとから形成されている。凸部２４ｂの下面（図４において）は開放されている。
【００３２】
掃除機本体３に設けた第２の保持手段６は、棒状体ストッパとして機能するパイプストッパ５１と、棒状体支えとして機能するパイプ支え５２とを有している。
【００３３】
パイプストッパ５１は掃除機本体３の側面に一体に突設されていて、例えば掃除機本体３の本体把手３ｃが突設された面と面一に設けられている。このパイプストッパ５１にはＵ字状などのパイプ通し溝５１ａが形成されている。パイプ通し溝５１ａの溝幅は係止部２４より小さい。
【００３４】
パイプ支え５２は、図４に示すように押圧操作部５２ａとフック部５２ｂとを有している。パイプ支え５２は、掃除機本体３に設けたホルダー部３ｄに掃除機本体３の長手方向に沿って移動可能に収められているとともに、そのフック部５２ｂは掃除機本体３に設けた側面開口３ｅを通っている。ホルダー部３ｄ内に配置した付勢体例えばコイルばね５３によって、パイプ支え５２は図４において上向きに付勢されている。この付勢によって、押圧操作部５２ａは、パイプストッパ５１の上側から押込み操作ができるように掃除機本体３外に突出されている。以上説明した事項以外は第１実施形態と同じ構成である。
【００３５】
ハンドル４を掃除機本体３の側面に保持する手順は以下の通りである。まず、ハンドル４を掃除機本体３に対して斜めの姿勢にした上で、このハンドル４が有するパイプ２１の取付け端部２１ａを、第１の保持手段５の嵌合部３１に押込むように嵌合させる（図３中２点鎖線参照）。次に、嵌合部３１を支点にハンドル４全体を本体後部３ｂの側面に沿うように図３中矢印Ｄ方向に移動させる。これにより、本体後部３ｂの側面に接近するパイプ２１の中間部、具体的には係止部２４のすぐ真上部分が、第２の保持手段６が有したパイプストッパ５１のパイプ通し溝５１ａに挿入される（図３中実線参照）。
【００３６】
この場合、パイプ支え５２の押圧操作部５２ａを押込んでおいて、パイプ通し溝５１ａにパイプ２１の中間部を嵌め込んでから、パイプ支え５２の押圧を解除する。これにより、パイプ支え５２がコイルばね５３の付勢力で元の位置に戻るに伴い、図４に示すようにパイプ支え５２のフック部５２ｂが係止部２４の凸部２４ｂの内側に引っ掛かる。この係合によって、ハンドル４のパイプ２１が掃除機本体３の本体後部３ｂ側面から離れる方向に動かないように拘束される。
【００３７】
こうして保持されたパイプ２１の係止部２４は、第２の保持手段６が有したパイプストッパ５１のすぐ真下に近接して配置される。このため、係止部２４がパイプストッパ５１に当たることによって、パイプ２１が嵌合部３１から抜け出すに足りるパイプ２１の軸方向移動が妨げられる。この保持状態での係止部２４とパイプストッパ５１との間の近接距離Ａは、嵌合部３１に対する取付け端部２１ａの嵌合深さより短い。このため、パイプ２１を有したハンドル４は、その軸方向に沿ってパイプストッパ５１に向けて前記近接距離Ａの範囲で移動可能である。しかし、最大に移動した場合にも取付け端部２１ａが嵌合部３１より抜け出ることはない。
【００３８】
それにも拘らず、嵌合部３１と取付け端部２１ａとの嵌め合いの遊びと前記近接距離Ａとによって、パイプ支え５２の押込み状態において、パイプ２１を本体後部３ｂの側面から離れる方向に引き動かす場合には、係止部２４が、パイプストッパ５１に引っ掛からないように、或いはパイプストッパ５１への軽微な接触を伴って、第１の保持手段５の嵌合部３１を支点にパイプ２１を動かすことができる。それにより、第２の保持手段６からパイプ２１を外せるため、次に、パイプ２１を斜めに引き動かすことによって、第１の保持手段５の嵌合部３１から取付け端部２１ａを引抜くことができる。
【００３９】
したがって、第２実施形態においても、第１実施形態と同様に本発明の課題を解決できる。しかも、第２実施形態に係る電気掃除機１では、掃除機本体３の側面に保持されたパイプ２１が、第１の保持手段５の嵌合部３１との嵌合、及び第２の保持手段６のパイプ支え５２と係止部２４との係合によって、掃除機本体３の側面から離れる方向の動きを拘束されている。このため、掃除機本体３に保持されたハンドル４のパイプ２１を掴んで、ベッドの下方空間などの格納部から電気掃除機１を引出す場合に、パイプ２１が第２の保持手段６から外れることがないので、容易に電気掃除機１を引出すことができる点で、取扱い上の利便性に優れる。
【００４０】
図６〜図８を参照して第３実施形態に係るアップライト型の電気掃除機を説明する。この第３実施形態は基本的には第１実施形態と同じであるので、機能が同一の構成には第１実施形態と同じ符号を付してその説明を省略し、第１実施形態とは異なる構成を以下説明する。
【００４１】
図７及び図８に示すようにパイプ２１の係止部２４は、パイプ２１に固定される環状の取付け部２４ａと、これからパイプ２１の半径方向に一体に突出された凸部２４ｃとから形成されている。凸部２４ｃは、ブロック状であって、その先端面に開放する係止凹部２４ｄを有している。
【００４２】
掃除機本体３に設けた第２の保持手段６は、棒状体ストッパとして機能するパイプストッパ５１と、棒状体支えとして機能するパイプ支え５２とを有している。
【００４３】
パイプストッパ５１は掃除機本体３の側面に一体に突設されていて、例えば掃除機本体３の本体把手３ｃが突設された面と面一に設けられている。このパイプストッパ５１にはＵ字状などのパイプ通し溝５１ａが形成されている。パイプ通し溝５１ａは係止部２４より小さい。
【００４４】
パイプ支え５２は、図７に示すように押圧操作部５２ａとフック部５２ｂとを有している。パイプ支え５２は、本体前部３ａの本体後部３ｂ寄りに配設され、掃除機本体３の長手方向と直交する方向に沿って移動可能である。押圧操作部５２ａは本体前部３ａに設けた第１の側面開口３ｆを通って外部から操作可能に設けられている。フック部５２ｂは本体前部３ａに設けた側面開口３ｇに出没自在であり、その出没に伴って係止凹部２４ｄに挿脱できる。パイプ支え５２は本体前部３ａ内に配置した付勢体例えばコイルばね５３によって、後向きに付勢されている。以上説明した事項以外は第１実施形態と同じ構成である。
【００４５】
ハンドル４を掃除機本体３の側面に保持する手順は以下の通りである。まず、ハンドル４を掃除機本体３に対して斜めの姿勢にした上で、このハンドル４が有するパイプ２１の取付け端部２１ａを、第１の保持手段５の嵌合部３１に押込むように嵌合させる（図６中２点鎖線参照）。次に、嵌合部３１を支点にハンドル４全体を本体後部３ｂの側面に沿うように図６中矢印Ｄ方向に移動させる。これに伴い、本体後部３ｂの側面に接近するパイプ２１の中間部、具体的には係止部２４のすぐ真上部分が、第２の保持手段６が有したパイプストッパ５１のパイプ通し溝５１ａに挿入される（図６中実線参照）。
【００４６】
この場合、パイプ２１の係止部２４の凸部２４ｃが、パイプ支え５２のフック部５２ｂを押す。フック部５２ｂが押される面は、好ましい例として図７に示すように斜状面となっているので、フック部５２ｂが第２の側面開口３ｇに没入するようにパイプ支え５２がコイルばね５３に抗して移動される。この移動に伴い係止部２４が所定の位置まで変位するので、凸部２４ｃの係止凹部２４ｄが第２の側面開口３ｇに対向すると同時に、パイプ支え５２がコイルばね５３で押し戻されて、そのフック部５２ｂが係止凹部２４ｄに挿入して引っ掛かる。この係合によって、ハンドル４のパイプ２１が掃除機本体３の本体後部３ｂ側面から離れる方向に動かないように拘束される。フック部５２ｂの斜状面に代えて、凸部２４ｃに斜状面を設けてもよく、或いはフック部５２ｂと凸部２４ｃとの双方に斜状面を設けることもできる。
【００４７】
なお、以上の拘束を得るために、パイプ支え５２の押圧操作部５２ａを操作して、フック部５２ｂが第２の側面開口３ｇに没入するようにパイプ支え５２を移動させておいて、パイプ通し溝５１ａにパイプ２１の中間部を嵌め込んでから、押圧操作部５２ａの押圧操作を解除させて、パイプ支え５２をコイルばね５３の付勢力で元の位置に戻し、それによって、フック部５２ｂを係止部２４の係止凹部２４ｄに係合させることもできる。
【００４８】
こうして保持されたパイプ２１の係止部２４は、第２の保持手段６が有したパイプストッパ５１のすぐ真下に近接して配置される。このため、係止部２４がパイプストッパ５１に当たることによって、パイプ２１が嵌合部３１から抜け出すに足りるパイプ２１の軸方向移動が妨げられる。この保持状態での係止部２４とパイプストッパ５１との間の近接距離は、嵌合部３１に対する取付け端部２１ａの嵌合深さより短い。このため、パイプ２１を有したハンドル４は、その軸方向に沿ってパイプストッパ５１に向けて前記近接距離の範囲で移動可能である。しかし、最大に移動した場合にも取付け端部２１ａが嵌合部３１より抜け出ることはない。
【００４９】
それにも拘らず、嵌合部３１と取付け端部２１ａとの嵌め合いの遊びと前記近接距離とによって、パイプ支え５２の押込み状態において、パイプ２１を本体後部３ｂの側面から離れる方向に引き動かす場合には、係止部２４が、パイプストッパ５１に引っ掛からないように、或いはパイプストッパ５１への軽微な接触を伴って、第１の保持手段５の嵌合部３１を支点にパイプ２１を動かすことができる。それにより、第２の保持手段６からパイプ２１を外せるため、次に、パイプ２１を斜めに引き動かすことによって、第１の保持手段５の嵌合部３１から取付け端部２１ａを引抜くことができる。
【００５０】
したがって、第３実施形態においても、第１実施形態と同様に本発明の課題を解決できる。しかも、第３実施形態に係る電気掃除機１では、掃除機本体３の側面に保持されたパイプ２１が、第１の保持手段５の嵌合部３１との嵌合、及び第２の保持手段６のパイプ支え５２と係止部２４との係合によって、掃除機本体３の側面から離れる方向の動きを拘束されている。このため、掃除機本体３に保持されたハンドル４のパイプ２１を掴んで、ベッドの下方空間などの格納部から電気掃除機１を引出す場合に、パイプ２１が第２の保持手段６から外れることがないので、容易に電気掃除機１を引出すことができる点で、取扱い上の利便性に優れる。
【００５１】
図９〜図１１を参照して第４実施形態に係るアップライト型の電気掃除機を説明する。この第４実施形態は基本的には第１実施形態と同じであるので、機能が同一の構成には第１実施形態と同じ符号を付してその説明を省略し、第１実施形態とは異なる構成を以下説明する。
【００５２】
図１０に示すように第１の保持手段５は、嵌合部３１内に、可動支持部材３２と、付勢部材３３とを設けて形成されている。可動支持部材３２は、嵌合部３１の見掛け上の底板をなしてパイプ２１の取付け端部２１ａを受ける蓋状の部材であり、嵌合部３１の軸方向に沿って移動可能に収容されている。付勢部材３３はコイルばね等のばねやスポンジ等からなる。この付勢部材３３は、可動支持部材３２の裏側に配置されて、可動支持部材３２を嵌合部３１の開口端方向に付勢している。
【００５３】
掃除機本体３に設けた第２の保持手段６は、棒状体ストッパとして機能するパイプストッパ５１と、棒状体支えとして機能するパイプ支え５２とを有している。
【００５４】
パイプストッパ５１は掃除機本体３の側面に一体に突設されていて、例えば掃除機本体３の本体把手３ｃが突設された面と面一に設けられている。このパイプストッパ５１にはＵ字状などのパイプ通し溝５１ａが形成されている。パイプ通し溝５１ａはパイプ２１の係止部２４より小さい。パイプ支え５２は、図１０に示すようにパイプ通し溝５１ａの開口端に隣接してパイプストッパ５１の裏面に一体に形成されている。このパイプ支え５２は本体後部３ｂの側面に近付くに従い次第にパイプストッパ５１の裏面から突出する側面視略三角形状の係止爪からなる。以上説明した事項以外は第１実施形態と同じ構成である。
【００５５】
ハンドル４を掃除機本体３の側面に保持する手順は以下の通りである。まず、ハンドル４を掃除機本体３に対して斜めの姿勢にした上で、このハンドル４が有するパイプ２１の取付け端部２１ａを、第１の保持手段５の嵌合部３１に押込んで嵌合させる。これにより、取付け端部２１ａが可動支持部材３２上に支持されるとともに、この可動支持部材３２が付勢部材３３に抗して嵌合部３１の底に向けて押し込まれる（図９中２点鎖線参照）。
【００５６】
次に、嵌合部３１を支点にハンドル４全体を本体後部３ｂの側面に沿うように図９中矢印Ｄ方向に移動させる。これに伴い、本体後部３ｂの側面に接近するパイプ２１の中間部、具体的には係止部２４のすぐ真上部分が、第２の保持手段６が有したパイプストッパ５１のパイプ通し溝５１ａに挿入される（図９中実線参照）。
【００５７】
そして、パイプ通し溝５１ａの奥まで充分にパイプ２１が挿入された時点で、ハンドル４に加えていた押し込みを止めることにより、付勢部材３３の付勢力で可動支持部材３２を介してハンドル４全体が軸方向に沿って押し戻される。これにより、パイプストッパ５１の裏側に既に近接して配置されている係止部２４が、図１０に示すようにパイプストッパ５１の裏面に当接されるとともに、この係止部２４がパイプ支え５２にその後方から引っ掛かる。この係止部２４とパイプ支え５２との係合によって、ハンドル４のパイプ２１が掃除機本体３の本体後部３ｂ側面から離れる方向に動かないように拘束される。
【００５８】
こうして保持されたパイプ２１の係止部２４は、既述のように第２の保持手段６が有したパイプストッパ５１の裏面に当たっているので、パイプ２１が嵌合部３１から抜け出すに足りるパイプ２１の軸方向移動が妨げられる。これにより、取付け端部２１ａが嵌合部３１より抜け出ることはない。
【００５９】
それにも拘らず、付勢部材３３に抗してハンドル４を嵌合部３１に向けて軸方向に移動させて、パイプ支え５２の突出高さより大きく係止部２４をパイプストッパ５１から離すことができる。このため、これら両者間の隙間、並びに嵌合部３１と取付け端部２１ａとの嵌め合いの遊びとによって、パイプ支え５２の押込み状態において、パイプ２１を本体後部３ｂの側面から離れる方向に引き動かす場合には、係止部２４がパイプストッパ５１及びパイプ支え５２に引っ掛からないように、パイプ２１を第１の保持手段５の嵌合部３１を支点に動かすことができる。それにより、第２の保持手段６からパイプ２１を外せるため、次に、パイプ２１を斜めに引き動かすことによって、第１の保持手段５の嵌合部３１から取付け端部２１ａを引抜くことができる。
【００６０】
したがって、第４実施形態においても、第１実施形態と同様に本発明の課題を解決できる。しかも、第４実施形態に係る電気掃除機１では、掃除機本体３の側面に保持されたパイプ２１が、第１の保持手段５の嵌合部３１との嵌合、及び第２の保持手段６のパイプ支え５２と係止部２４との係合によって、掃除機本体３の側面から離れる方向の動きを拘束されている。このため、掃除機本体３に保持されたハンドル４のパイプ２１を掴んで、ベッドの下方空間などの格納部から電気掃除機１を引出す場合に、パイプ２１が第２の保持手段６から外れることがないので、容易に電気掃除機１を引出すことができる点で、取扱い上の利便性に優れる。更に、掃除機本体３に保持されたハンドル４の係止部２４を付勢部材３３の不勢力でパイプストッパ５１に押付け保持できるので、ハンドル４をがたつかないように保持できる点でも好ましい。
【００６１】
図１２及び図１３を参照して第５実施形態に係るアップライト型の電気掃除機を説明する。この第５実施形態は基本的には第４実施形態と同じであるので、機能が同一の構成には第４実施形態と同じ符号を付してその説明を省略し、第４実施形態とは異なる構成を以下説明する。
【００６２】
ハンドル４が備えるパイプ２１の軸方向中間部に設けられた係止部２４は、Ｌ字状をなすフックで形成されている。これに対応して掃除機本体３に設けた第２の保持手段６は、掃除機本体３の側面に開口した係止孔で形成されている。以上説明した事項以外は第４実施形態と同じ構成である。
【００６３】
ハンドル４を掃除機本体３の側面に保持する手順は以下の通りである。まず、ハンドル４を掃除機本体３に対して斜めの姿勢にした上で、このハンドル４が有するパイプ２１の取付け端部２１ａを、第１の保持手段５の嵌合部３１に押込んで嵌合させる。これにより、取付け端部２１ａが可動支持部材３２上に支持されるとともに、この可動支持部材３２が付勢部材（図示しない）に抗して嵌合部３１の底に向けて押し込まれる。
【００６４】
次に、嵌合部３１を支点にハンドル４全体を本体後部３ｂの側面に沿うように移動させて、係止部２４を係止孔からなる第２の保持手段６に挿入させる。そして、この挿入完了後にハンドル４に加えていた押し込みを止めることにより、第１の保持手段５が有している前記図示しない付勢部材の付勢力で可動支持部材３２を介してハンドル４全体が軸方向に沿って押し戻される。これにより、係止部２４が、係止孔からなる第２の保持手段６の孔縁に、位置決めされるとともに引っ掛かるように配置される（図１３参照）。
【００６５】
この係止部２４の上向きに曲った先端部２４ａ、つまり、棒状体支えとして機能するパイプ支えと、第２の保持手段６との係合によって、ハンドル４のパイプ２１が掃除機本体３の本体後部３ｂ側面から離れる方向に動かないように拘束される。これとともに、係止部２４の根元部２４ｂ、つまり、棒状体ストッパとして機能するパイプストッパが、既述のように第２の保持手段６をなす係止孔の縁に当たっているので、パイプ２１が嵌合部３１から抜け出すに足りるパイプ２１の軸方向移動が妨げられる。これにより、取付け端部２１ａが嵌合部３１より抜け出ることはない。
【００６６】
それにも拘らず、第１の保持手段５の付勢部材に抗してハンドル４を嵌合部３１に向けて軸方向に移動させることにより、この押込み状態において、パイプ２１を本体後部３ｂの側面から離れる方向に引き動かす場合には、係止部２４が第２の保持手段６をなす係止孔から外れるので、パイプ２１を第１の保持手段５の嵌合部３１を支点に動かすことができる。それにより、次に、パイプ２１を斜めに引き動かすことによって、第１の保持手段５の嵌合部３１から取付け端部２１ａを引抜くことができる。
【００６７】
したがって、第５実施形態においても、第４実施形態と同様に本発明の課題を解決できる。しかも、第５実施形態に係る電気掃除機１でも、掃除機本体３の側面に保持されたパイプ２１が、第１の保持手段５の嵌合部３１との嵌合、及び第２の保持手段６をなす係止孔の縁と係止部２４との係合によって、掃除機本体３の側面から離れる方向の動きを拘束されている。このため、掃除機本体３に保持されたハンドル４のパイプ２１を掴んで、ベッドの下方空間などの格納部から電気掃除機１を引出す場合に、パイプ２１が掃除機本体３から外れることがないので、容易に電気掃除機１を引出すことができる。更に、掃除機本体３に保持されたハンドル４の係止部２４を付勢部材の付勢力で、第２の保持手段６をなす係止孔の縁に押付け保持できるので、ハンドル４をがたつかないように保持できる。
【００６８】
なお、本発明は前記各実施形態には制約されない。例えば、第４実施形態で説明した第１の保持手段の構成は、第１〜３の実施形態の第１の保持手段にも適用できる。又、前記各実施形態では、本体前部３ａより幅が狭い本体後部３ｂの側面にハンドル４のパイプ２１を着脱自在に保持するので、本体前部３ａの側面と本体後部３ｂの側面とが作る凹んだ部分にパイプ２１が保持される。このため、見掛け上、掃除機本体３の外面から大きく食み出さないようにできるので、パイプ２１を保持した状態での形態がよい。しかし、掃除機本体３はその外面が前記凹んだ部分を有さない構成であってもよい。
【図面の簡単な説明】
【００６９】
【図１】本発明の第１実施形態に係る電気掃除機を不使用状態で一部断面して示す側面図。
【図２】図１の電気掃除機の掃除機本体とハンドルとの関係を分解して示す斜視図。
【図３】本発明の第２実施形態に係る電気掃除機を不使用状態で示す斜視図。
【図４】図３の電気掃除機の第２の保持手段回りをこれにハンドルが保持された状態で示す断面図。
【図５】図３の電気掃除機の掃除機本体とハンドルとの関係を分解して示す斜視図。
【図６】本発明の第３実施形態に係る電気掃除機を不使用状態で示す斜視図。
【図７】図６の電気掃除機の第２の保持手段回りをこれにハンドルが保持された状態で示す断面図。
【図８】図６の電気掃除機の掃除機本体とハンドルとの関係を分解して示す斜視図。
【図９】本発明の第４実施形態に係る電気掃除機を不使用状態で示す斜視図。
【図１０】図９の電気掃除機の第１、第２の保持手段回りをこれにハンドルが保持された状態で示す断面図。
【図１１】図９の電気掃除機の掃除機本体とハンドルとの関係を分解して示す斜視図。
【図１２】本発明の第５実施形態に係る電気掃除機の掃除機本体とハンドルとの関係を分解して示す斜視図。
【図１３】図１２の電気掃除機の第２の保持手段回りをこれにハンドルが保持された状態で示す断面図。
【符号の説明】
【００７０】
１…電気掃除機、３…掃除機本体、３ａ…本体前部、３ｂ…本体後部、４…ハンドル（着脱部材）、５…第1の保持手段、６…第２の保持手段、１２…電動送風機、１７…パイプ受け部（部材受け部）、２１…パイプ（棒状体）、２１ａ…取付け端部、２４…係止部、２４ａ…係止部の先端部（棒状体ストッパ）、２４ｂａ…係止部の根元部（棒状体支え）、３１…嵌合部、３２…可動支持部材、３３…付勢部材、５１…パイプストッパ棒状体ストッパ）、５２…パイプ支え（棒状体支え）
【図１】
2005066035.tif 000003
【図２】
2005066035.tif 000004
【図３】
2005066035.tif 000005
【図４】
2005066035.tif 000006
【図５】
2005066035.tif 000007
【図６】
2005066035.tif 000008
【図７】
2005066035.tif 000009
【図８】
2005066035.tif 000010
【図９】
2005066035.tif 000011
【図１０】
2005066035.tif 000012
【図１１】
2005066035.tif 000013
【図１２】
2005066035.tif 000014
【図１３】
2005066035.tif 000015